(57)【要約】【課題】本発明は、著作権を保護しつつ、携帯電話用ＳＮＳにおけるいわゆる「マイページ」において、アクセスしてきた人物に合わせたＢＧＭとしての音楽を提供する音楽配信システムを提供する。【解決手段】携帯電話用ＳＮＳの「マイページ」ＵＲＬ及び該ＵＲＬにアクセスした携帯電話端末ＩＤあるいはアクセスユーザーのユーザー情報に従って、所在情報保存部１５からＢＧＭ用音楽データの所在情報を取得し、該所在情報に従った所在に保存されているＢＧＭ用音楽データを該端末に配信し、該端末において、配信された該ＢＧＭ用音楽データを再生し、該端末による該ページデータＵＲＬへのアクセスが切断された場合、または、音楽データの再生が終了した場合は、配信された該ＢＧＭ用音楽データを消去する。【選択図】図１
2009058925.tif 000002
【特許請求の範囲】
【請求項１】
携帯電話端末にＢＧＭ用音楽を配信するシステムであって、
ＢＧＭ用音楽データを保存する音楽データ保存部と、
ネットワーク上のページデータＵＲＬ、携帯電話端末ＩＤ及びこれらに関連づけられたＢＧＭ用音楽データの所在情報を保存する所在情報保存部と、
該ページデータＵＲＬにアクセスした携帯電話端末ＩＤを識別する処理を行う端末ＩＤ識別部と、
該ページデータＵＲＬ及び識別された該端末ＩＤに従って、所在情報保存部からＢＧＭ用音楽データの所在情報を取得する処理を行う所在情報取得部と、
該所在情報に従った所在に保存されているＢＧＭ用音楽データを該端末に配信する処理を行う音楽データ配信処理部と、
該端末において、配信された該ＢＧＭ用音楽データを再生する処理を行う音楽データ再生処理部と、
該端末において、配信された該ＢＧＭ用音楽データを消去する処理を行う音楽データ消去処理部と、
を備えることを特徴とする音楽配信システム。
【請求項２】
携帯電話端末にＢＧＭ用音楽を配信するシステムであって、
ＢＧＭ用音楽データを保存する音楽データ保存部と、
携帯電話端末ＩＤ及び該端末ＩＤと関連づけられたユーザー情報を保存するユーザー情報保存部と、
ネットワーク上のページデータＵＲＬ、ユーザー情報及びこれらに関連づけられたＢＧＭ用音楽データの所在情報を保存する所在情報保存部と、
該ページデータＵＲＬにアクセスした携帯電話端末ＩＤを識別する処理を行う端末ＩＤ識別部と、
識別された該端末ＩＤに従って、ユーザー情報保存部からユーザー情報を取得するユーザー情報取得部と、
該ページデータＵＲＬ及び取得されたユーザー情報に従って、所在情報保存部からＢＧＭ用音楽データの所在情報を取得する処理を行う所在情報取得部と、
該所在情報に従った所在に保存されているＢＧＭ用音楽データを該端末に配信する処理を行う音楽データ配信処理部と、
該端末において、配信された該ＢＧＭ用音楽データを再生する処理を行う音楽データ再生処理部と、
該端末において、配信された該ＢＧＭ用音楽データを消去する処理を行う音楽データ消去処理部と、
を備えることを特徴とする音楽配信システム。
【発明の詳細な説明】
【発明の詳細な説明】
【技術分野】
【０００１】  本発明は、音楽配信システムに関し、さらには、音楽配信システムに用いられる携帯電話端末及びネットワークサーバーに関する。
【背景技術】
【０００２】  ソーシャル・ネットワーク（あるいはネットワーキング）・サービス（いわゆるＳＮＳ）とは、ネットワーク上のコミュニティ型の会員制サービスである。従来はパーソナルコンピューターでのＳＮＳが主流であったが、近時は、携帯電話端末の性能の向上、料金の定額化サービスなどの事情が相まって、携帯電話端末用のＳＮＳの利用者数も大幅に増えてきている。【０００３】  ＳＮＳの形態には様々なものが現れてきているが、ＳＮＳの基本的機能の１つに、「マイページ」（非特許文献１参照）などと呼ばれるユーザー自身のページを持ち、そこに自己のプロフィール、日記（ブログ）、写真などを公開して、他の会員ユーザーに見せて自己をアピールするという機能がある。なお、非特許文献１は、典型的な機能を備えたＳＮＳ「マイページ」のイメージ図である。【０００４】  プロフィールや日記（ブログ）などは、テキスト情報により自己をアピールするものであり、写真などは、画像情報により自己をアピールするものであるが、さらに、近時は、「アバター」（非特許文献１参照）と呼ばれる２Ｄあるいは３Ｄのマンガのような姿態のキャラクターを「マイページ」に配置することが行われている。【０００５】  通常のＳＮＳの場合、会員ユーザーは、アバターの髪型、服装、装飾品等を自由に選択することができるようになっており、アバターとして何を選択するか、選択したアバターの髪型、服装、装飾品として何を選択するかということも、魅力的な「マイページ」を作り上げるための重要な要素となっている。【０００６】  従来は、携帯電話端末用のＳＮＳにおいては、マイページの構成要素としては、自己のプロフィール、日記（ブログ）、写真あるいはアバターといった視覚的要素のみであり、音楽（ＢＧＭ）という聴覚的要素によってマイページを魅力的なものにするという発想は存在しなかった。その背景として、携帯電話端末は、自宅のみならず、外出先、交通機関などでも利用するものであり、ある携帯電話端末用サイト（ＵＲＬ）に接続すると音楽が流れ出すというのは周囲に憚れる局面も考えられることと、そもそも携帯電話端末は、パーソナルコンピューターや音楽再生専用の携帯端末等と異なり、容量が少ないため、テキストや画像の表示に加え、さらに音楽をＢＧＭとして流すには携帯電話端末への負荷が大きいと考えられていたためである。【０００７】  たしかに、純粋に音楽を楽しみたいという場合には、音楽１曲まるごとを再生し、また、音質も良好なものでなければならないため、たとえ、今日の最新機種と呼ばれる携帯電話端末であっても、テキストや画像の表示に加え、さらに音楽をＢＧＭとして流すには携帯電話端末への負荷が大きいと考えられる。
【発明の開示】
【発明が解決しようとする課題】
【０００８】  しかしながら、近時は、携帯電話端末において、音楽を楽しむということが日常化してきており、本発明のように、「マイページ」においてＢＧＭ音楽が流れるという着想が一般化し、事業化が普及すれば、予め備えたヘッドホンを着用して、ＳＮＳにアクセスしようとする習慣ができてくるはずである。【０００９】  また、「マイページ」において必要とされている音楽は、あくまで、ＢＧＭとしての音楽であり、必ずしも高音質である必要もないし、１曲まるごとである必要もない。むしろ、他の会員の目（耳）を引くという意味では、例えば、音楽のサビの部分のみの方が都合がよい。他の会員が「マイページ」に立ち寄った（アクセスした）瞬間に「マイページ」に興味をもたなければ、「マイページ」に立ち止まってくれないからである。【００１０】  さらに、ＳＮＳには、友人や知人を「マイページ」に招待（誘導）して、自己のマイページを楽しんでもらうという側面もあるが、招待する友人や知人の好みに合わせて違うＢＧＭを提供したり、友人や知人でなくても、アクセスするユーザーの性質（性別や年齢など）に合わせて違うＢＧＭを提供したりするということができれば、さらに「マイページ」の魅力を増すことができる。【００１１】  なお、招待する友人や知人の好みに合わせて、違うＢＧＭを提供するということは、見方を変えれば、自分の好きな音楽を友人や知人にプレゼントできるということであり、「マイページ」のＵＲＬや、「マイページ」を更新した旨のメールを送信して、「マイページ」に誘導してＢＧＭを聴かせてあげることができる。【００１２】  加えて、ＢＧＭ用音楽データの配信においては著作権の保護が考慮されなければならないが、携帯電話端末のメモリ内に該音楽データを保存しないようにするのが著作権の保護のためには、最適である。【００１３】  本発明は、著作権を保護しつつ、携帯電話用ＳＮＳにおける「マイページ」において、アクセスしてきた人物に合わせたＢＧＭとしての音楽を提供する音楽配信システムを提供することを目的とする。【００１４】  なお、御庁が公表している「ユーザからみた携帯電話端末の機能及びインターフェイス」５−１−２−１には、音楽のダウンロードサービスとして、１曲丸ごとダウンロードし、ミュージックプレイヤーで再生したり、曲の一部を着信のメロディとして保存したりする技術が携帯電話端末に対する音楽データの配信についての標準的な技術として掲げられている。実際、携帯電話での音楽の楽しみ方といえば、「音楽のダウンロードサービスとして、１曲丸ごとダウンロードし、ミュージックプレイヤーで再生したり、曲の一部を着信のメロディとして保存したりする」程度であるが、本発明は、あくまでも、携帯電話端末用ＳＮＳの「マイページ」においてＢＧＭとしての音楽を再生するという着想に基づくものであり、「マイページ」にアクセスする側が音楽を指定するステップを有しない点で大きく異なるものである。
【非特許文献１】ＳＮＳ「マイページ」のイメージ図
【課題を解決するための手段】
【００１５】  上記目的を達成するために、本発明の音楽配信システムは、ＢＧＭ用音楽データを保存する音楽データ保存部と、
ネットワーク上のページデータＵＲＬ、携帯電話端末ＩＤ及びこれらに関連づけられたＢＧＭ用音楽データの所在情報を保存する所在情報保存部と、
該ページデータＵＲＬにアクセスした携帯電話端末ＩＤを識別する端末ＩＤ識別部と、
該ページデータＵＲＬ及び識別された該端末ＩＤに従って、所在情報保存部からＢＧＭ用音楽データの所在情報を取得する処理を行う所在情報取得部と、
該所在情報に従った所在に保存されているＢＧＭ用音楽データを該端末に配信する処理を行う音楽データ配信処理部と、
該端末において、配信された該ＢＧＭ用音楽データを再生する処理を行う音楽データ再生処理部と、
該端末において、配信された該ＢＧＭ用音楽データを消去する処理を行う音楽データ消去処理部と、
を備えることを特徴とする。【００１６】  また、本発明は、
ＢＧＭ用音楽データを保存する音楽データ保存部と、
携帯電話端末ＩＤ及び該端末ＩＤと関連づけられたユーザー情報を保存するユーザー情報保存部と、
ネットワーク上のページデータＵＲＬ、ユーザー情報及びこれらに関連づけられたＢＧＭ用音楽データの所在情報を保存する所在情報保存部と、
該ページデータＵＲＬにアクセスした携帯電話端末ＩＤを識別する処理を行う端末ＩＤ識別部と、
識別された該端末ＩＤに従って、ユーザー情報保存部からユーザー情報を取得するユーザー情報取得部と、
該ページデータＵＲＬ及び取得されたユーザー情報に従って、所在情報保存部からＢＧＭ用音楽データの所在情報を取得する処理を行う所在情報取得部と、
該所在情報に従った所在に保存されているＢＧＭ用音楽データを該端末に配信する処理を行う音楽データ配信処理部と、
該端末において、配信された該ＢＧＭ用音楽データを再生する処理を行う音楽データ再生処理部と、
該端末において、配信された該ＢＧＭ用音楽データを消去する処理を行う音楽データ消去処理部と、
を備えることを特徴とする。
【発明の効果】
【００１７】  携帯電話用ＳＮＳにおける「マイページ」において、アクセスしてきた人物に合わせたＢＧＭとしての音楽を提供することができ、また、該音楽は携帯電話端末内メモリに恒久的に保存させることをしないため音楽の複製を防止して著作権を保護することができる。
【発明を実施するための最良の形態】
【００１８】  以下、図面を参照し、本発明の実施の形態を詳細に説明する。図１は、本発明の一実施形態の音楽配信システムの構成を示している。この音楽配信システムは、ネットワークサーバーと携帯電話端末とが複合して１つのシステムをなしており、ネットワークサーバーは、ＢＧＭ用音楽データを保存する音楽データ保存部１６と、ネットワーク上のページデータＵＲＬ、携帯電話端末ＩＤ及びこれらに関連づけられたＢＧＭ用音楽データの所在情報を保存する所在情報保存部１５という２つのデータベース、あるいは、携帯電話端末ＩＤ及び該端末ＩＤと関連づけられたユーザー情報を保存するユーザー情報保存部１８を加えた３つのデータベースを含んでいる。【００１９】  また、ネットワークサーバーは、携帯電話端末との通信処理を行う通信処理部１１と、該ページデータＵＲＬにアクセスした携帯電話端末ＩＤを識別する処理を行う端末ＩＤ識別部１２と、該ページデータＵＲＬ及び識別された該端末ＩＤに従って、所在情報保存部からＢＧＭ用音楽データの所在情報を取得する処理を行う所在情報取得部１３と、該所在情報に従った所在に保存されているＢＧＭ用音楽データを該端末に配信する処理を行う音楽データ配信処理部１４という４つの情報処理手段（制御モジュール）、を含んでいる。【００２０】  あるいは、ネットワークサーバーは、携帯電話端末との通信処理を行う通信処理部１１と、該ページデータＵＲＬにアクセスした携帯電話端末ＩＤを識別する処理を行う端末ＩＤ識別部１２と、識別された該端末ＩＤに従って、ユーザー情報保存部からユーザー情報を取得するユーザー情報取得部１７と、該ページデータＵＲＬ及び取得されたユーザー情報に従って、所在情報保存部からＢＧＭ用音楽データの所在情報を取得する処理を行う所在情報取得部１３と、該所在情報に従った所在に保存されているＢＧＭ用音楽データを該端末に配信する処理を行う音楽データ配信処理部１４という５つの情報処理手段（制御モジュール）、を含んでいる。【００２１】  携帯電話端末においては、通信処理部２１、配信された該ＢＧＭ用音楽データを再生する処理を行う音楽データ再生処理部２２、配信された該ＢＧＭ用音楽データを消去する処理を行う音楽データ消去処理部２３という３つの情報処理手段（制御モジュール）を含んでいる。【００２２】  ユーザー情報保存部１８は、携帯電話端末ＩＤ及び該端末ＩＤと関連づけられたユーザー情報を保存するデータベースである。ユーザー情報としてどのような情報を保存するかは任意に定めることができる。【００２３】  所在情報保存部１５は、図３に示すように、ページデータＵＲＬ及び携帯電話端末ＩＤ又はユーザー情報とＢＧＭ用音楽データをヒモ付けした複数のレコードからなるデータベースである。「携帯電話端末ＩＤ」というのは、必ずしも、個別の携帯電話端末機器ごとのＩＤに限られない。むしろ、各ＳＮＳ会員は、ログインのためにユーザーＩＤ及びパスワードを求められるのが通常であり、このユーザーＩＤを「携帯電話端末ＩＤ」とすることも考えられる。この場合には、ＳＮＳ会員は、例えば、他人の携帯電話端末を借りたりすることにより、他のＳＮＳ会員のページデータＵＲＬにアクセスして、音楽配信を受けることができる。【００２４】  音楽データ保存部１６は、配信するためのＢＧＭ用音楽データを格納するデータベースである。あくまでも、本発明においては、配信される音楽データはＢＧＭ用であるが、その内容はさまざまなものが考えられる。効果音であったり、市販の楽曲の一部又は全部であっても良い。ただし、携帯電話端末の通信速度やデータ処理能力の現状から考えて、当分の間は、容量の小さな音楽データでなければ、携帯電話端末側の音楽データの受信処理、再生処理が遅くなることが懸念される。【００２５】  図２は、ネットワークサーバー側の処理のフローの１例を示したものであり、Ｓ１１は、携帯電話端末が「マイページ」にアクセスするステップであり、Ｓ１２は、アクセスした携帯電話端末ＩＤを識別するステップであり、Ｓ１３は、「マイページ」のＵＲＬと「マイページ」にアクセスしてきた携帯電話端末ＩＤに従い、前記所在情報保存部データベースを検索して、「マイページ」のＵＲＬと「マイページ」にアクセスしてきた携帯電話端末ＩＤにヒモ付けされた音楽データの在処を取得するステップであり、Ｓ１４は、所在情報取得部から渡された「所在情報」に示される所在にある音楽データを配信するステップである。【００２６】  さらに、図４は、ネットワークサーバー側の処理のフローの別の１例を示したものであり、Ｓ２１は、携帯電話端末が「マイページ」にアクセスするステップであり、Ｓ２２は、アクセスした携帯電話端末ＩＤを識別するステップであり、Ｓ２３は、識別された端末ＩＤからユーザー情報を取得するステップであり、Ｓ２４は、「マイページ」のＵＲＬと取得されたユーザー情報に従い、前記所在情報保存部データベースを検索して、「マイページ」のＵＲＬと「マイページ」にアクセスしてきたユーザーの性質（性別、年齢等）にヒモ付けされた音楽データの在処を取得するステップであり、Ｓ２５は、所在情報取得部から渡された「所在情報」に示される所在にある音楽データを配信するステップである。【００２７】  端末ＩＤ識別部１２は、「マイページ」にアクセスしてきた携帯電話端末ＩＤを識別するが、「携帯電話端末ＩＤ」というのは、必ずしも、個別の携帯電話端末機器ごとのＩＤに限られず、各ＳＮＳ会員に予め割り振られたログインのためのユーザーＩＤであってもよい。【００２８】  ユーザー情報取得部１７は、識別された携帯電話端末ＩＤに従い、ユーザー情報保存部１８からユーザー情報を取得する。【００２９】  所在情報取得部１３は、「マイページ」のＵＲＬと「マイページ」にアクセスしてきた携帯電話端末ＩＤ又は取得されたユーザー情報に従い、前記所在情報保存部データベースを検索して、「マイページ」のＵＲＬと「マイページ」にアクセスしてきた携帯電話端末ＩＤ又はユーザー情報にヒモ付けされた音楽データの在処を取得する。【００３０】なお、自己の「マイページ」にアクセスしてくる全てのＳＮＳ会員が自己の知人・友人であるということはなく、あるいは、ユーザー情報が存在しない場合も考えられるため、「マイページ」のＵＲＬと「マイページ」にアクセスしてきた携帯電話端末ＩＤ又はユーザー情報をキーに前記所在情報保存部データベースを検索してもヒットがない場合も考えられる。このようにヒットがない場合の処理としては、ＢＧＭ用音楽を配信しない、あるいは、任意に設定された汎用のＢＧＭ用音楽を配信するという処理が考えられ、後者の場合には、所在情報取得部１３は、次の音楽データ配信処理部１４に対して、汎用の音楽データの所在を「所在情報」としてわたすことになる。【００３１】  音楽データ配信処理部１４は、所在情報取得部から渡された「所在情報」に示される所在にある音楽データを配信する。音楽データや動画データなどのようにテキストデータと比較して容量の大きいデータを配信する方法には、ダウンロード方式（データ全部を配信してから再生する方式）とストリーミング方式（分割された少量のデータファイルがバッファされ、バッファされたファイルから再生が始まる方式）とがあるが、本発明は、いずれの配信方法も包含するものである。【００３２】  ストリーミング方式は、大容量ファイルであっても、バッファしながら再生するため、再生はすぐに始まり、また、再生が終了したデータは逐次消去されるので、ユーザーの端末内メモリに残らないため、著作権のあるファイルの二次配布防止になる。しかし、ストリーミング方式は、通信処理と再生処理を同時並行で行うため、そのための負荷が大きく、出願時の技術水準における携帯電話端末での音楽再生にはなじまいと考えられるが、携帯電話端末の処理能力向上に従い、ストリーミング方式も実施が可能となると予測される。【００３３】  ダウンロード方式による場合には、大容量の音楽データの場合には、受信するまでに時間がかかり、ユーザーが待ち時間を耐えられないという難点があるが、ストリーミング方式によらねばならないほどの大容量の音楽データはそもそもＢＧＭ用音楽には必ずしも必要ではない。純粋に音楽を楽しむためだけであれば、１曲まるごとをダウンロードする必要があるし、音質も高品質なものが求められるが、ＢＧＭ用音楽データの場合には、１曲まるごとである必要はなく、音質も高品質でなくても事足りるからである。そこで、ダウンロード方式による場合には、ストリーミング方式によらなくても、ユーザーが不相当に長時間待たされることがない程度の容量の小さな音楽データを配信する。【００３４】  また、ダウンロード方式により、音楽の配信を行う場合には、配信された音楽データは、一時的せよ、ユーザーの携帯電話端末のメモリに保存されるため、本発明では、著作権保護のために、端末による「マイページ」へのアクセスが切断された場合には、一旦、ユーザーの携帯電話端末のメモリに保存された音楽データを消去する音楽データ消去処理部２３を備えている。【００３５】  音楽データ再生処理部２２は、配信された音楽データを再生する。配信方法がストリーミング方式の場合には、分割された少量の音楽データファイルがバッファされ、バッファされたファイルから再生を開始し、ダウンロード方式の場合には、１曲分の音楽データをすべて受信後再生を開始する。【００３６】  音楽データ消去処理部２３は、著作権保護のために、配信方法がストリーミング方式の場合には、携帯電話端末において再生が終了した音楽データ毎に逐次消去し、配信方法がダウンロード方式の場合には、端末による「マイページ」へのアクセスが切断された場合に、一旦、ユーザーの携帯電話端末のメモリに保存された音楽データを消去する。【００３７】  以上、本発明をその好適な実施形態に基づいて説明したが、本発明の音楽再生システムは、上記実施形態にのみ限定されるものではなく、上記実施形態の構成から種々の修正及び変更を施したものも、本発明の範囲に含まれる。
【図面の簡単な説明】
【００３８】
【図１】本発明のシステム構成を示す図
【図２】本発明のネットワークサーバー側の処理のフローを示す図
【図３】本発明の所在情報保存部のデータベースのレコードのイメージ図
【図４】本発明のネットワークサーバー側の処理のフローを示す図
【符号の説明】
【００３９】１    音楽配信システム（ネットワークサーバー側）
２    音楽配信システム（携帯電話端末側）
１１  通信処理部（ネットワークサーバー側）
１２  端末ＩＤ識別部
１３  所在情報取得部
１４  音楽データ配信処理部
１５  所在情報保存部
１６  音楽データ保存部
１７  ユーザー情報取得部
１８  ユーザーデータ保存部
２１  通信処理部（携帯電話端末側）
２２  音楽データ再生処理部
２３  音楽データ消去処理部
【図１】
2009058925.tif 000003
【図２】
2009058925.tif 000004
【図３】
2009058925.tif 000005
【図４】
2009058925.tif 000006